(57)【要約】【課題】遠隔からの要求に応じて情報の提示のみならず制御又は設定を受け付けることが可能なパワーコンディショナ、及びコンピュータプログラムを提供する。【解決手段】パワーコンディショナは、画面表示用の画面データを記憶する記憶部を有し、Ｗｅｂサーバとして機能する通信デバイスを備え、前記通信デバイスは、クライアント装置から接続要求を受けた場合、入力操作を受け付ける画面を含むＷｅｂ画面を表示させる表示情報を前記画面データに基づいて作成する作成部と、作成した表示情報を前記クライアント装置へ送信する通信部とを備え、自装置及び自装置に連結するパワーコンディショナの出力制御の設定を受け付ける画面の表示情報を前記作成部によって作成し、作成された表示情報を前記通信部から前記クライアント装置へ送信する。【選択図】図１
2019115259.tif 000002
【特許請求の範囲】
【請求項１】
画面表示用の画面データを記憶する記憶部を有し、Ｗｅｂサーバとして機能する通信デバイスを備え、
前記通信デバイスは、
クライアント装置から接続要求を受けた場合、入力操作を受け付ける画面を含むＷｅｂ画面を表示させる表示情報を前記画面データに基づいて作成する作成部と、
作成した表示情報を前記クライアント装置へ送信する通信部とを備え、
自装置及び自装置に連結するパワーコンディショナの出力制御の設定を受け付ける画面の表示情報を前記作成部によって作成し、作成された表示情報を前記通信部から前記クライアント装置へ送信する
パワーコンディショナ。
【請求項２】
前記画面は、スケジュールの入力を受け付けるための欄、及び、電力サーバとの接続情報の入力を受け付けるための欄を含む
請求項１に記載のパワーコンディショナ。
【請求項３】
前記画面にて受け付けた操作に基づき、制御情報を作成し、自装置及び自装置に連結するパワーコンディショナを制御する制御ユニットへ送信する
請求項１又は２に記載のパワーコンディショナ。
【請求項４】
前記表示情報は、自装置に連結するパワーコンディショナに対応するオブジェクトを表示させるための情報を含み、
前記オブジェクトには自装置の状態及び自装置に連結するパワーコンディショナの情報を表示するための情報が含まれている
請求項１から３のいずれか１項に記載のパワーコンディショナ。
【請求項５】
表示部を備えるコンピュータに、パワーコンディショナの情報を受信して表示させるコンピュータプログラムであって、
前記コンピュータに、
前記パワーコンディショナに設けられている通信デバイスのＷｅｂサーバへクライアントとして通信接続を要求するステップ、
前記通信デバイスから、該通信デバイスにて記憶されてある画面データに基づいて作成された前記パワーコンディショナ及びパワーコンディショナに連結するパワーコンディショナの出力制御の設定を受け付ける画面を表示させるメニューを含む前記画面データに基づく画面表示情報を受信するステップ、及び
受信した画面表示情報に基づき、前記出力制御の設定を受け付ける画面を表示するステップ
を実行させるコンピュータプログラム。
【発明の詳細な説明】
【技術分野】
【０００１】
本発明は、パワーコンディショナ及びコンピュータプログラムに関する。
【背景技術】
【０００２】
蓄電素子は、無停電電源装置、安定化電源に含まれる直流又は交流電源装置等に広く使用されている。また、再生可能エネルギー又は既存の発電システムにて発電された電力を蓄電しておく大規模なシステムでの蓄電素子及びパワーコンディショナの利用が拡大している。
【０００３】
蓄電素子及びパワーコンディショナが設置される発電システムにおいては、保守活動が重要になる。蓄電素子の充電状態（ＳＯＣ：State Of Charge）、又は寿命予測の情報に
ついて、サーバ装置経由で、蓄電素子のユーザ又は保守担当者が遠隔から取得することを可能とする技術が多数提案されている。
【０００４】
例えば特許文献１には、蓄電素子の劣化率の予測値をサーバ装置及びネットワークを経由してオペレータが遠隔からその情報を視認することを実現するシステムが提案されている。
【０００５】
特許文献２には、無停電電源装置における蓄電素子の交換を確実に実行するために、サービスセンタ及びネットワークを経由してモニタリングプログラムに基づきバッテリ交換の時期を予告し、ユーザとオペレータがメール等を用いて情報を交換するシステムが開示されている。
【先行技術文献】
【特許文献】
【０００６】
【特許文献１】特開２０１５−１２１５２０号公報
【特許文献２】特開２００２−２８７８５７号公報
【発明の概要】
【発明が解決しようとする課題】
【０００７】
特許文献１，２に開示されているように、蓄電素子自体又は蓄電素子を用いる装置について、ユーザ又は保守担当者が状態を遠隔から把握するシステムが提案され、実現している。パワーコンディショナについてはＯＮ又はＯＦＦの状態、又は売電中であるのか、買電中であるのかなどの出力状態の情報を遠隔から把握するシステムが実現している。また出力制御については、電力会社のサーバからネットワークを介して取得できるスケジュールをパワーコンディショナの制御ユニットが自動的に取得して実施する運用がされている。しかしながら、保守に関係するより詳細な情報の提示、及び電力サーバとの連携動作の設定を遠隔から実現するシステムの実用化はなされていない。
【０００８】
鉛蓄電池又はリチウムイオン電池のような蓄電素子は、車載用途（自動車用途、自動二輪車用途）以外の産業用途に適用される場面が増加している。例えば、太陽光発電システムに蓄電素子が並設されることがある。この場合、蓄電素子はパワーコンディショナと接続される。メガソーラーと呼ばれる大規模な太陽光発電システムでは、非常に多くの蓄電素子及びパワーコンディショナが設置されて利用される。工場又は大規模施設における電力ピークカットを実現する場合にも、非常に多くの蓄電素子及びパワーコンディショナが設置されて利用される。従来の保守支援システムでは、分散電源システム又は事業主体にこのように多くの蓄電素子と電源関連装置が設置されるケースを想定していない。
【０００９】
ＩｏＴ（Internet of Things）の社会への浸透と平行して、蓄電素子及び電源関連装置の遠隔監視の実現とそれによる付加価値サービスの実現に対する期待が高まっている。
【００１０】
本発明は、遠隔監視及び／又は遠隔操作に適したパワーコンディショナ及びコンピュータプログラムを提供することを目的とする。
【課題を解決するための手段】
【００１１】
本開示に係るパワーコンディショナは、画面表示用の画面データを記憶する記憶部を有し、Ｗｅｂサーバとして機能する通信デバイスを備える。前記通信デバイスは、クライアント装置から接続要求を受けた場合、入力操作を受け付ける画面を含むＷｅｂ画面を表示させる表示情報を前記画面データに基づいて作成する作成部と、作成した表示情報を前記クライアント装置へ送信する通信部とを備える。パワーコンディショナは、自装置及び自装置に連結するパワーコンディショナの出力制御の設定を受け付ける画面の表示情報を前記作成部によって作成し、作成された表示情報を前記通信部から前記クライアント装置へ送信する。
【００１２】
上記構成により、パワーコンディショナが備える通信デバイスがＷｅｂサーバとして機能して提供する画面は、通信デバイスが搭載されているパワーコンディショナ及び連結するパワーコンディショナの出力制御の設定を遠隔から受け付けるインタフェースとして機能する。これにより、保守担当者が現地に赴くことなしに遠隔から動作の設定を容易に実現できる。
【００１３】
前記通信デバイスによって提供される出力制御の設定を受け付ける画面では、スケジュールの入力、及び、電力サーバとの連携のための接続情報の入力が可能である。遠隔からの出力制御スケジュールの設定、電力サーバとの連携用の設定が可能となるため、ユーザ又は保守担当者による保守作業の劇的な効率化が期待できる。
【００１４】
前記画面にて受け付けた操作に基づき、制御情報を作成し、自装置及び自装置に連結するパワーコンディショナの動作を制御する制御ユニットへ制御情報が送信されるようにしてもよい。
【００１５】
パワーコンディショナの通信デバイスがＷｅｂサーバ機能により提供する画面で、パワーコンディショナ及び連結する他のパワーコンディショナへの制御情報を送信するための操作も可能となる。
【００１６】
前記表示情報は、自装置に連結するパワーコンディショナに対応するオブジェクトを表示させるための情報を含み、前記オブジェクトには自装置及び自装置に連結するパワーコンディショナの情報を表示するための情報が含まれていてもよい。
【００１７】
複数のパワーコンディショナが連結して設置される場合、このような連結構成に応じて各パワーコンディショナの状態を表示するためのオブジェクトが表示されることで、視覚的に状態を把握し易くなる。
【００１８】
本開示に係るコンピュータプログラムは、表示部を備えるコンピュータに、パワーコンディショナの情報を受信して表示させる。コンピュータプログラムは、前記コンピュータに、前記パワーコンディショナに設けられている通信デバイスのＷｅｂサーバへクライアントとして通信接続を要求するステップ、前記通信デバイスから、該通信デバイスにて記憶されてある画面データに基づいて作成された前記パワーコンディショナ及びパワーコンディショナに連結するパワーコンディショナの出力制御の設定を受け付ける画面を表示させるメニューを含む前記画面データに基づく画面表示情報を受信するステップ、及び受信した画面表示情報に基づき、前記出力制御の設定を受け付ける画面を表示するステップ
を実行させる。
【００１９】
上記構成により、パワーコンディショナに備えられた通信デバイスによって、通信デバイスが搭載されているパワーコンディショナ及び連結するパワーコンディショナに対する出力制御の設定を、通信デバイスと通信可能なコンピュータによって遠隔から実現することができる。
【図面の簡単な説明】
【００２０】
【図１】本実施形態に係る監視システムの概要を示す図である。
【図２】通信デバイスの搭載例を示す模式図である。
【図３】監視システムの構成を示すブロック図である。
【図４】通信デバイスの記憶部に記憶されているデバイスプログラムのプログラム構成を示す概要図である。
【図５】通信デバイスにおける処理手順の一例を示すフローチャートである。
【図６】サーバ装置のＷｅｂサーバ機能により提供される表示画面の一例を示す図である。
【図７】サーバ装置のＷｅｂサーバ機能により提供される表示画面の一例を示す図である。
【図８】パワーコンディショナに接続されている通信デバイスから提示されるＷｅｂ画面の一例を示す図である。
【図９】通信デバイスから提示されるＷｅｂ画面の他の一例を示す図である。
【図１０】通信デバイスから提示されるＷｅｂ画面の他の一例を示す図である。
【発明を実施するための形態】
【００２１】
本発明をその実施の形態を示す図面を参照して具体的に説明する。
【００２２】
図１は、本実施形態に係る監視システム１００の概要を示す図である。監視システム１００は、監視対象のシステム又は装置の情報を収集するサーバ装置２（情報処理装置）と、収集された情報を取得するクライアント装置３とを含む。サーバ装置２はＷｅｂサーバ機能を含み、各装置について得られる情報を、クライアント装置３からのアクセスに応じて提示する。
【００２３】
監視システム１００の監視対象は、メガソーラー発電システムＳ及び火力発電システムＦ夫々に含まれている蓄電システム１０１である。蓄電システム１０１は、発電システムＳ，Ｆで得られる電力を蓄電する蓄電モジュール群Ｌと、発電システムＳ，Ｆで得られる電力を適切に変換し、蓄電モジュール群Ｌ又は電力供給先へ出力するパワーコンディショナ（ＰＣＳ：Power Conditioning System ）Ｐとを含む。監視システム１００は、蓄電システム１０１に含まれる蓄電モジュール群Ｌ、及びパワーコンディショナＰの状態について詳細な情報を取得して提示させる。蓄電モジュール群Ｌは、発電システムＳ，ＦではコンテナＣに収容されている。コンテナＣでは、複数のリチウムイオン電池のセルを含んだ蓄電モジュールが複数取り付けられたラックが複数収容されている（図２参照）。
【００２４】
監視システム１００では、サーバ装置２が情報を収集するために、又はクライアント装置３から直接的に情報を取得するために、各装置に通信デバイス１が搭載又は接続されている。図２は、通信デバイス１の搭載例を示す模式図である。通信デバイス１は、蓄電素子に備えられる電池管理装置（ＢＭＵ：Battery Management Unit ）と通信して蓄電素子の情報を受信する端末装置（計測モニタ）であってもよいし、図２に示すようにパワーコンディショナＰや蓄電モジュール群Ｌに搭載可能なネットワークカード型のデバイスであってもよい。通信デバイス１は、蓄電システム１０１における蓄電モジュール群Ｌの情報を取得すべく、複数の蓄電モジュールをまとめたグループ毎に１つずつに設けられている。パワーコンディショナＰは複数台でシリアル通信が可能に接続されており、通信デバイス１は、いずれか代表となるパワーコンディショナＰの制御ユニットに接続されている。
【００２５】
このように監視システム１００は、各装置に搭載又は接続した通信デバイス１を利用し、蓄電システム１０１における蓄電素子のＳＯＣ、ＳＯＨ（State Of Health ）等の状態、検知された異常といった情報を、サーバ装置２が収集し、収集されたデータが一括で提示される。監視システム１００では、一括提示に加えて、各通信デバイス１への直接的な通信をも可能として各装置における最新の情報を個別にクライアント装置３から取得させることもできる。個別に取得される情報は、共通部分を含みつつも装置の種別に応じて異なる態様で表示される。
【００２６】
図３は、監視システム１００の構成を示すブロック図である。通信デバイス１は、制御部１０、記憶部１１、第１通信部１２及び第２通信部１３を備える。制御部１０はＣＰＵ（Central Processing Unit ）を用いたプロセッサであり、内蔵するＲＯＭ（Read Only Memory）及びＲＡＭ（Random Access Memory）等のメモリを用い、各構成部を制御して処理を実行する。
【００２７】
記憶部１１は、フラッシュメモリ等の不揮発性メモリを用いる。記憶部１１には、制御部１０が読み出して実行するデバイスプログラム１Ｐが記憶されている。デバイスプログラム１Ｐには、Linux （登録商標）等を用いた組み込み系ＯＳ（Operating System）、ＯＳ上で動作するＷｅｂサーバ、ＳＳＨ（Secure Shell）、ＳＮＭＰ（Simple Network Management Protocol）等に準じた通信用プログラムが含まれる。デバイスプログラム１Ｐにはメーラプログラムが含まれてもよく、異常が発生した場合に、予め設定されてあるメールアドレスへ向けて電子メールが自動的に送信されるようにしてもよい。これらのプログラムは、制御部１０内蔵のメモリ（ＲＯＭ）に記憶されていてもよい。記憶部１１には、制御部１０の処理によって収集された情報、イベントログ等の情報が記憶される。記憶部１１に記憶された情報は、通信デバイス１の筐体に端子が露出するＵＳＢ等の通信インタフェースを介して読み出すことも可能である。
【００２８】
第１通信部１２は、通信デバイス１が接続されている装置（監視対象装置）との通信を実現する通信インタフェースであり、例えばＲＳ−２３２Ｃ又はＲＳ−４８５等のシリアル通信インタフェースを用いる。例えばパワーコンディショナＰはＲＳ−４８５に準拠したシリアル通信機能を有する制御ユニットを備えており、第１通信部１２は制御ユニットと通信する。複数のパワーコンディショナＰが接続されている構成では、カスケード接続した制御ユニットの内の代表となるパワーコンディショナＰの制御ユニットと接続され、各制御ユニットを介して複数のパワーコンディショナＰと通信する。
【００２９】
第２通信部１３は、ネットワークＮを介した通信を実現するインタフェースであり、例えばEthernet（登録商標）、又は無線通信用アンテナ等の通信インタフェースを用いる。制御部１０は、第２通信部１３を介してサーバ装置２又はクライアント装置３と通信接続が可能である。
【００３０】
このように構成される通信デバイス１では、制御部１０が第１通信部１２を介して、通信デバイス１が接続されている装置にて得られる状態情報を含む各種情報を取得する。制御部１０は、Ｗｅｂサーバ用プログラムを読み出して実行することによって、Ｗｅｂサーバとしてサーバ装置２又はクライアント装置３からの通信接続を受け、情報を提示することも可能である。制御部１０は、ＳＳＨにより遠隔からシャットダウンの機能を受けることが可能である。制御部１０は、ＳＮＭＰ用プログラムを読み出して実行することにより、ＳＮＭＰエージェントとして機能し、サーバ装置２からの情報要求に対して応答することも可能である。
【００３１】
サーバ装置２はサーバコンピュータを用い、制御部２０、記憶部２１、及び通信部２２を備える。本実施の形態においてサーバ装置２は、１台のサーバコンピュータとして説明するが、複数のサーバコンピュータで処理を分散させた構成としてもよい。
【００３２】
制御部２０は、ＣＰＵを用いたプロセッサであり、内蔵するＲＯＭ及びＲＡＭ等のメモリを用い、各構成部を制御して処理を実行する。制御部２０は、記憶部２１に記憶されているサーバプログラム２Ｐに基づく情報処理を実行する。サーバプログラム２ＰにはＷｅｂサーバプログラムが含まれ、制御部２０は、クライアント装置３へのＷｅｂページの提供、Ｗｅｂサービスへのログインの受け付け等を実行するＷｅｂサーバとして機能する。制御部２０は、サーバプログラム２Ｐに基づき、ＳＮＭＰ用サーバとして通信デバイス１から情報を収集することも可能である。
【００３３】
記憶部２１は、例えばハードディスク又はフラッシュメモリ等の不揮発性メモリを用いる。記憶部２１には、上述したサーバプログラム２Ｐが記憶されているほか、制御部２０の処理によって収集される監視対象となる蓄電システム１０１のパワーコンディショナＰ及び蓄電モジュール群Ｌの状態を含むデータを記憶する。
【００３４】
通信部２２は、ネットワークＮを介した通信接続及びデータの送受信を実現する通信デバイスである。具体的には通信部２２はネットワークＮに対応したネットワークカードである。
【００３５】
クライアント装置３は、発電システムＳ，Ｆの蓄電システム１０１の管理者又は保守担当者等のオペレータが使用するコンピュータである。クライアント装置３は、デスクトップ型若しくはラップトップ型のパーソナルコンピュータであってもよいし、所謂スマートフォン又はタブレット型の通信端末であってもよい。クライアント装置３は、制御部３０、記憶部３１、通信部３２、表示部３３、及び操作部３４を備える。
【００３６】
制御部３０は、ＣＰＵを用いたプロセッサである。制御部３０は、記憶部３１に記憶されているＷｅｂブラウザプログラムに基づき、サーバ装置２又は通信デバイス１により提供されるＷｅｂページを表示部３３に表示させる。
【００３７】
記憶部３１は、例えばハードディスク又はフラッシュメモリ等の不揮発性メモリを用いる。記憶部３１には、Ｗｅｂブラウザプログラムを含む各種プログラムが記憶されている。
【００３８】
通信部３２は、有線通信用のネットワークカード等の通信デバイス、基地局ＢＳ（図１
参照）に接続する移動通信用の無線通信デバイス、又はアクセスポイントＡＰへの接続に対応する無線通信デバイスを用いる。制御部３０は通信部３２により、ネットワークＮを介してサーバ装置２又は通信デバイス１との間で通信接続又は情報の送受信が可能である。
【００３９】
表示部３３は、液晶ディスプレイ、有機ＥＬ（Electro Luminescence）ディスプレイ等のディスプレイを用いる。表示部３３は制御部３０のＷｅｂブラウザプログラムに基づく処理により、サーバ装置２で提供されるＷｅｂページのイメージを表示する。表示部３３は、好ましくはタッチパネル内蔵型ディスプレイであるが、タッチパネル非内蔵型ディスプレイであってもよい。
【００４０】
操作部３４は、制御部３０との間で入出力が可能なキーボード及びポインティングデバイス、若しくは音声入力部等のユーザインタフェースである。操作部３４は、表示部３３のタッチパネル、又は筐体に設けられた物理ボタンを用いてもよい。操作部３４は、ユーザによる操作情報を制御部２０へ通知する。
【００４１】
図１に示すようにネットワークＮは、所謂インターネットである公衆通信網Ｎ１と、所定の移動通信規格による無線通信を実現するキャリアネットワークＮ２とを含む。キャリアネットワークＮ２には基地局ＢＳが含まれ、クライアント装置３は基地局ＢＳからネットワークＮを介したサーバ装置２との通信を可能とする。公衆通信網Ｎ１にはアクセスポイントＡＰが接続されており、クライアント装置３はアクセスポイントＡＰからネットワークＮを介してサーバ装置２との間で情報を送受信することも可能である。
【００４２】
監視システム１００では、サーバ装置２がパワーコンディショナＰ及び蓄電モジュール群Ｌの状態を含む様々な情報を定期的に、又はクライアント装置３からの要求に応じて取得し、記憶部２１に記憶する。記憶部２１に記憶してある最新のデータ及びその履歴は、クライアント装置３からＷｅｂページ又はデータ（ダウンロード）として取得できるようにサーバ装置２が処理する。サーバ装置２が提供する情報には、パワーコンディショナＰ、及び蓄電モジュール群Ｌに搭載されている通信デバイス１が提供するＷｅｂサーバへの接続情報（ＵＲＬ：Uniform Resource Locator、ＩＰアドレス等）が含まれる。クライアント装置３は、通信デバイス１から提供されるＷｅｂページにより、パワーコンディショナＰ及び蓄電モジュール群Ｌの情報を取得することができる。
【００４３】
図４は、通信デバイス１の記憶部１１に記憶されているデバイスプログラム１Ｐのプログラム構成を示す概要図である。図４に示すプログラム構成は、パワーコンディショナＰに接続されている通信デバイス１の記憶部１１に記憶されているデバイスプログラム１Ｐの例を示している。デバイスプログラム１Ｐは前述したように、Linux （登録商標）等を用いた組み込み系ＯＳプログラム１０Ｐ、ＯＳ上で動作するＷｅｂサーバ用プログラム１１Ｐのほか、ＳＳＨ、及びＳＮＭＰ等に準じた通信用プログラム１２Ｐを含む。パワーコンディショナＰの通信デバイス１に記憶されているデバイスプログラム１Ｐと、蓄電モジュール群Ｌの通信デバイス１に記憶されているデバイスプログラム１Ｐとは、これらのプログラムを共通部分として含む。パワーコンディショナＰ用のデバイスプログラム１Ｐは更に個別部分を含む。個別部分は、パワーコンディショナＰ固有の通信プロトコル用の通信プログラム１３Ｐ、Ｗｅｂ画面データ（デザインデータ、素材画像データ、画面遷移情報を含む）１４Ｐ、及び電力サーバ連携プログラム１５Ｐを含む。
【００４４】
通信プログラム１３Ｐは、通信デバイス１自身の制御部１０がパワーコンディショナＰと通信を行なうためのプロトコル（ＲＳ−４８５又は他の信号入出力）と、そのプロトコルで通信される通信信号を解釈するためのプログラム（ステータスコード等）を含む。プロトコルはテーブル化されて記憶部１１に記憶されており、通信プログラム１３Ｐにより読み出し可能とされていてもよい。
【００４５】
Ｗｅｂ画面データ１４Ｐは、パワーコンディショナ（ＰＣＳ）Ｐが充電中なのか、放電中なのか、売電中なのか買電中なのかなどの状態情報とエラー情報を表示するため画面データ、パワーコンディショナＰの制御操作を受け付けるための画面データ、及びそれらの画面遷移情報が含まれる。
【００４６】
電力サーバ連携プログラム１５Ｐは、電力サーバと連携するためのクライアントプログラムであり、電力サーバからの出力制御（スケジュール）を受け付ける処理を実現する。
【００４７】
図５は、通信デバイス１における処理手順の一例を示すフローチャートである。通信デバイス１の制御部１０は、第２通信部１３によりサーバ装置２又はクライアント装置３からの通信イベントを検知する都度、以下の処理を開始する。
【００４８】
制御部１０は、通信イベントがサーバ装置２からの送信要求であるか否かを判断する（ステップＳ１０１）。サーバ装置２からの送信要求であると判断された場合（Ｓ１０１：ＹＥＳ）、制御部１０は第１通信部１２により、接続されている装置から最新の情報を取得するか、予め取得して一時的に記憶してある情報を読み出して取得する（ステップＳ１０２）。制御部１０は、取得した状態等の各種情報を第２通信部１３からサーバ装置２宛てに送信し（ステップＳ１０３。「第１送信部」に相当）、処理を終了する。制御部１０は、ステップＳ１０１にて送信要求を受信せずとも、予め設定されたスケジュール（１０分、３０分、１時間毎など）に従って、第１通信部１２により取得した情報を送信するようにしてもよい。
【００４９】
ステップＳ１０１にて通信イベントが送信要求でないと判断された場合（ステップＳ１０１：ＮＯ）、通信イベントはクライアント装置３からの接続要求であり、制御部１０は、第１通信部１２により接続されている装置から状態情報を含む最新の情報を取得する（ステップＳ１０４）。制御部１０は、取得した最新の情報を含むＷｅｂページを作成（Ｗｅｂページに含まれるデータを更新）し（ステップＳ１０５）、作成したＷｅｂページのデータを要求元のクライアント装置３へ第２通信部１３から送信する（ステップＳ１０６。「第２送信部」に相当）。
【００５０】
制御部１０は、クライアント装置３の表示部３３に表示されるＷｅｂページ上での操作を通信により取得して受け付ける（ステップＳ１０７）。ステップＳ１０７にて操作内容が接続されている装置への制御であるか否か判断する（ステップＳ１０８）。当該装置への制御であると判断された場合（Ｓ１０８：ＹＥＳ）、制御部１０は、操作に応じて制御情報を作成し（ステップＳ１０９）、接続されている装置へ向けて制御情報を第１通信部１２から送信し（ステップＳ１１０。「第３送信部」に相当）、操作に応じてＷｅｂページを更新する（ステップＳ１１１）。当該装置への制御でないと判断された場合（Ｓ１０８：ＮＯ）、制御部１０は操作に応じてＷｅｂページを更新し（Ｓ１１１）、処理をステップＳ１１２へ進める。
【００５１】
制御部１０は、クライアント装置３における操作部３４での操作でログアウト又はＷｅｂブラウザの終了操作が行なわれたか否かを判断し（ステップＳ１１２）、ログアウト又は終了操作が行なわれたと判断された場合（Ｓ１１２：ＹＥＳ）、処理を終了する。ログアウト又は終了操作が行なわれていないと判断された場合（Ｓ１１２：ＮＯ）、制御部１０は処理をステップＳ１０７へ戻し、操作の受け付けを続行する。
【００５２】
通信デバイス１から提供されるＷｅｂページは、サーバ装置２のＷｅｂサーバ機能により提供される表示画面に含まれる接続情報（ＵＲＩ）が対応付けられたアイコンの選択により表示される。図６及び図７は、サーバ装置２のＷｅｂサーバ機能により提供される表示画面の一例を示す図である。図６は、監視システム１００へのログイン後に表示される画面例を示し、図７は１つのシステムが選択された後に表示される画面例を示している。
【００５３】
クライアント装置３からのログイン要求に応じてサーバ装置２の制御部２０は、ログインページの情報をクライアント装置３へ送信する。クライアント装置３では、ログインページを表示部３３に表示し、操作部３４での操作に基づきログイン情報を受け付け、サーバ装置２へ送信する。これによりサーバ装置２は、ログイン情報によって閲覧可能なシステム又は装置を抽出し、その名称を含むＷｅｂ画面３３０の情報をクライアント装置３へ送信する。図６はこの際のＷｅｂ画面３３０の一例である。図６の例では、図１に示したメガソーラー発電システムＳの名称「ＸＹ市メガソーラーシステム」、火力発電システムＦの名称「ＷＺ発電所システム」等が夫々、識別情報と共にリンクとして表示されている。一覧のＷｅｂ画面には、各システムのその時点における状態（正常／異常）、各システムにおける測定パラメータのグラフ、システムに使用される蓄電モジュールの寿命予測を各出力するためのアイコンが現状把握又は情報分析のために含まれている。
【００５４】
図６に示すように、サーバ装置２から提供されるＷｅｂページに基づき表示されるＷｅｂ画面３３０には、「システム検索」、「寿命予測」、「ダウンロード」、「レポート」等のメニュー３３１、ログアウト又は終了操作のためのボタン３３２が含まれている。
【００５５】
図７は、システム毎に各装置の情報が一括して含まれている画面の一例を示している。図７は、図６に示されたＷｅｂ画面３３０で「ＸＹ市メガソーラーシステム」が選択された場合に表示部３３に表示される例を示している。図７の画面例では、「ＸＹ市メガソーラーシステム」が用いている蓄電システム１０１のシステム構成に合わせて、４つのパワーコンディショナＰ、及び、複数のバンクに構成された蓄電モジュール群Ｌ夫々の名称（番号等の識別情報）が示されている。各名称を示すオブジェクトには各々の詳細情報（サーバ装置２で収集した情報）を表示するためのアイコン３３４と、詳細情報（リアルタイム）を表示させるためのアイコン３３５とが配置されている。アイコン３３５は、通信デバイス１にて動作しているＷｅｂサーバへ接続するためのアイコンであり、通信デバイス１の識別情報と共に配置されている。蓄電モジュール群Ｌについてはその階層構造（ドメイン、バンク、モジュール、セル）を展開するための「＋」アイコン３３３が配置されている。
【００５６】
パワーコンディショナＰの通信デバイス１から提供されるＷｅｂページは、図７に示した表示部３３におけるＷｅｂ画面３３０中でパワーコンディショナ（ＰＣＳ）Ｐに対応付けられているアイコン３３５が選択された場合に、クライアント装置３の表示部３３にて別ウィンドウが立ち上がって表示される。
【００５７】
図８は、パワーコンディショナＰに接続されている通信デバイス１から提示されるＷｅｂ画面３４１の一例を示す図である。Ｗｅｂ画面３４１にて表示される情報は、パワーコンディショナ（ＰＣＳ）Ｐ用に個別に記憶してあるＷｅｂ画面データ１４Ｐに基づき出力されている。Ｗｅｂ画面３４１を表示するためにもログインが必要になる。この際のログイン情報はサーバ装置２で提供されるＷｅｂサーバへのログインと共通としてあり、これにより改めてログイン情報を入力する操作を行なうことなしに自動的にログインされて表示される。
【００５８】
図８に示す例において通信デバイス１は、シリアル接続されているパワーコンディショナＰ（図７の例では４つ）の制御ユニットから得られる情報をクライアント装置３へ提供する。図８に示すように、パワーコンディショナＰの情報を表示するためのＷｅｂ画面３４１には、パワーコンディショナＰに接続されている発電システムにおけるリアルタイムの発電電力を示す「発電電力」、パワーコンディショナＰ群全体での状態を示す「ＰＣＳ状態」の項目が含まれている。Ｗｅｂ画面３４１には更に、パワーコンディショナＰ（複数接続している内の親機となるＰＣＳ）の総合交流電力（正）と総合交流電力（負）の大小（売電中／買電中）を示す「交流電力」の項目が示されている。Ｗｅｂ画面３４１には、パワーコンディショナＰの設置場所（又は、含まれるシステム名）が表示され、出力制御の割合、温度等の情報が文字情報として表示されている。接続される蓄電モジュール群Ｌの充電状態について図柄と共にＷｅｂ画面３４１内に表示されるようにしてもよい。
【００５９】
図８に示すように、パワーコンディショナＰの情報を表示するためのＷｅｂ画面３４１には、メニューアイコン３４２が複数含まれている。複数のメニューアイコン３４２は例えば夫々、通信デバイス１を介して得られる異常の情報を含む各種情報を表示するためのメニューを含む。メニューアイコン３４２は、通信デバイス１における時刻、通知用のメールアドレス等の設定、ネットワーク設定、ＳＮＭＰに関する設定、シリアル通信を介した制御に関する設定、又は通信デバイス１の再起動（シャットダウン）のためのメニューを含む。Ｗｅｂ画面３４１は、ログイン情報に応じて内容が異なる。保守担当者権限を有するログイン情報によりクライアント装置３にて表示されるＷｅｂ画面３４１のメニューアイコン３４２には、パワーコンディショナＰの出力制御の設定、出力制御スケジュールの設定、契約容量の確認、余剰買取の設定、又はパスワードの設定メニュー等が含まれる。
【００６０】
パワーコンディショナＰに関するＷｅｂ画面３４１においても、クライアント装置３の操作部３４によるメニューアイコン３４２の選択操作に応じて、画面が遷移する。パワーコンディショナＰについてのＷｅｂ画面３４１では、メニューの選択に応じて、詳細情報の表示画面、設定の入力画面等が表示される。
【００６１】
図９は、通信デバイス１から提示されるＷｅｂ画面の他の一例を示す図である。図９は、図８のメニューアイコン３４２の内、詳細情報、即ち複数のパワーコンディショナＰ夫々についての詳細情報を示すためのメニューが操作部３４により選択された場合に表示される画面例である。Ｗｅｂ画面３４１が他の内容へ変化した場合、図８のＷｅｂ画面３４１に戻るためのアイコン３４３が表示される。図９に示すメニューアイコン３４２が選択されると、Ｗｅｂ画面３４１には通信デバイス１からシリアル通信接続しているパワーコンディショナＰ夫々に対応するアイコン３４４が表示される。各アイコン３４４にはパワーコンディショナＰを識別する番号等の識別情報が付されており、各パワーコンディショナＰの状態に応じて表示態様が異なる。図９であれば例えば、稼働しているパワーコンディショナＰ（＃１から＃４）に対応するアイコンは、実線及び無地で表示されている。稼働していないパワーコンディショナＰに対応するアイコン３４４は実線且つグレー色で（図中ではハッチングで示している）表示されている。警告状態、異常が検知された状態では無地の色を黄色、赤色など視覚的に把握し易く変化させるとよい。最大２０台のパワーコンディショナＰをシリアル通信接続することができるところ、接続されていないパワーコンディショナＰに対応するアイコン３４４は破線にて表示されている。シリアル通信接続されているが、実際に通信できない場合にはクエスチョンマークが付されているなど、状態に応じて態様が変化するとよい。各アイコン３４４には、対応するパワーコンディショナＰ個別の詳細情報（警告状態又は異常検知状態である場合に異常コード）を示す画面へのリンクが付与されており、選択されると画面３４１内でパワーコンディショナＰの詳細情報の表示に切り替えられる。
【００６２】
図１０は、通信デバイス１から提示されるＷｅｂ画面の他の一例を示す図である。図１０は、図８のメニューアイコン３４２にて、パワーコンディショナＰの出力制御の設定のメニューが選択された場合に表示される画面例である。図８のＷｅｂ画面３４１に重畳するようにしてクライアント装置３の表示部３３にて画面３４５が表示される。Ｗｅｂ画面３４１内で切り替えられてもよい。図１０に示す例では、画面３４５には、スケジュールの入力方法の選択、連携先の電力サーバの接続情報（ＵＲＬ及びポート）の入力を受け付けるための欄が設けられている。発電所ＩＤ、設置場所等の設定入力を受け付けることも可能である。出力変化時間の設定も受け付けられる。
【００６３】
このようにしてパワーコンディショナＰへも汎用的に搭載可能な通信デバイス１を用いて、サーバ装置２を拠点としてパワーコンディショナＰの情報を個別に提示するＷｅｂページへのアクセスが可能になる。このＷｅｂページで提示される情報は、パワーコンディショナＰ全体の出力状態、異常状態等のみならず、接続されている複数のパワーコンディショナＰ夫々の詳細な情報の表示を可能とする。更にこのＷｅｂページは、制御情報のやり取り、外部の電力サーバとの連携用の設定、クライアント装置３の操作部３４による制御指示操作などを受け付けるインタフェースとして機能するため、ユーザ又は保守担当者による保守作業の劇的な効率化が期待できる。
【００６４】
蓄電モジュール及び蓄電モジュール群Ｌが、複数のリチウムイオン電池セルから構成される例を説明した。代替的に、蓄電モジュール及び蓄電モジュール群Ｌが（或いはその一部が）複数の鉛蓄電池又はキャパシタから構成されてもよい。
【００６５】
他の実施形態として、以下の構成も実現可能である。表示部を備えるコンピュータに、電源関連装置の情報を受信して表示させるコンピュータプログラムであって、前記コンピュータに、前記電源関連装置に接続されている通信デバイスへ通信接続を要求するステップ、前記通信デバイスから、前記電源関連装置の状態を表示させるメニュー、及び前記電源関連装置に対する操作を受け付ける画面を表示させるメニューを含む画面表示情報を受信するステップ、及び受信した画面表示情報に基づき、前記電源関連装置の状態情報を含む画面を表示するステップ、を実行させるコンピュータプログラム。
【００６６】
電源関連装置は、パワーコンディショナ、無停電電源装置、交流を直流へ又は異なる特徴の交流へ変換する等の整流器のいずれか１つ又は複数であってもよい。電源関連装置は、蓄電素子と電気的に接続されていることが好ましい。
【００６７】
電源関連装置は、通信デバイス１に加え、蓄電素子（リチウムイオン電池又は鉛蓄電池）と電池管理装置を搭載し、電源関連装置の情報と蓄電素子の情報を一括して表示させるための表示情報を送信してもよい。電源関連装置は、搭載した蓄電素子を電池管理装置通じて制御するための指示は設定を遠隔から受信してもよい。
【００６８】
なお、上述の実施の形態はすべての点で例示であって、制限的なものではない。本発明の範囲は、特許請求の範囲によって示され、特許請求の範囲と均等の意味および範囲内でのすべての変更が含まれることが意図される。
【符号の説明】
【００６９】
１  通信デバイス
１０  制御部
１２  第１通信部
１３  第２通信部
２  サーバ装置
２０  制御部
２１  記憶部
２２  通信部
３  クライアント装置
３０  制御部
３２  通信部
３３  表示部
【図１】
2019115259.tif 000003
【図２】
2019115259.tif 000004
【図３】
2019115259.tif 000005
【図４】
2019115259.tif 000006
【図５】
2019115259.tif 000007
【図６】
2019115259.tif 000008
【図７】
2019115259.tif 000009
【図８】
2019115259.tif 000010
【図９】
2019115259.tif 000011
【図１０】
2019115259.tif 000012